(57)【要約】【課題】例えば、上記電子機器に電源を供給するバッテリが抜かれ、電源供給されなくなった場合に、自機器をロック処理することが可能な電子機器を提供することが課題になっていた。【解決手段】実施形態の電子機器は、第１のバッテリから電源供給されなくなった場合に、第２のバッテリに切替えて電源供給を受ける切替え部を備える。また、前記第２のバッテリからの電源供給に切替えられた状態で自機器をロックする指示を受信可能なロック指示受信部を備える。また、前記ロック指示を受信した場合に自機器をロックするロック部を備える。【選択図】  図３
2013025332.tif 000002
【特許請求の範囲】
【請求項１】
第１のバッテリから電源供給されなくなった場合に、第２のバッテリに切替えて電源供給を受ける切替え部と、
前記第２のバッテリからの電源供給に切替えられた状態で自機器をロックする指示を受信可能なロック指示受信部と、
前記ロック指示を受信した場合に自機器をロックするロック部を備える電子機器。
【請求項２】
前記第２のバッテリは、着脱不可に固定される請求項１に記載の電子機器。
【請求項３】
前記第１のバッテリは、着脱可に構成される請求項１に記載の電子機器。
【請求項４】
外部機器との通信が受信可能な通信受信部を備え、前記通信受信部を介して前記ロック指示を受信する請求項１に記載の電子機器。
【請求項５】
外部機器との３Ｇ通信を受信可能な通信受信部を備え、前記通信受信部を介して前記ロック指示を受信する請求項１に記載の電子機器。
【請求項６】
前記第２のバッテリは、前記第１のバッテリよりも小さい容量で構成される請求項１に記載の電子機器。
【請求項７】
前記第２のバッテリは、前記ロック指示受信部に電源を供給する請求項１に記載の電子機器。
【請求項８】
前記ロックを実行する前に、前記電子機器の電源を落とす処理を実行する請求項１に記載の電子機器。
【請求項９】
前記ロックを実行する前に、記憶部に登録された暗号情報キーを削除し、前記電子機器の電源を落とす処理を実行する請求項１に記載の電子機器。
【請求項１０】
前記電子機器がロックされていない場合は、前記削除された暗号情報キーの書き込みを行い、前記電子機器の起動を可能にする請求項９に記載の電子機器。
【請求項１１】
前記記憶部を交換する場合に、前記暗号キーの削除を実行しないように設定可能な設定部を備える請求項９に記載の電子機器。
【請求項１２】
第１のバッテリから電源供給されなくなった場合に、第２のバッテリに切替えて電源供給を受けるステップと、
前記第２のバッテリからの電源供給に切替えられた状態で自機器をロックする指示を受信可能なステップと、
前記ロック指示を受信した場合に自機器をロックするステップを備える電子機器の制御方法。
【請求項１３】
第１のバッテリから電源供給されなくなった場合に、第２のバッテリに切替えて電源供給を受けるステップと、
前記第２のバッテリからの電源供給に切替えられた状態で自機器をロックする指示を受信可能なステップと、
前記ロック指示を受信した場合に自機器をロックするステップを備える電子機器の制御プログラム。
【発明の詳細な説明】
【技術分野】
【０００１】
本発明の実施形態は、電子機器、電子機器の制御方法、電子機器の制御プログラムに関する。
【背景技術】
【０００２】
近年、外部機器との通信が受信可能な受信部を備えた電子機器が普及している。
これらの電子機器の中には、例えば、盗難等により、ユーザが自機器を制御できない状態において、外部機器から送信されたロック指示を受信し、このロック指示に応じて自機器をロック処理することが可能なものがある。
【０００３】
しかし、例えば、上記電子機器に電源を供給するバッテリが抜かれ、電源供給されなくなった場合には、上記のように外部機器からの指示に応じて自機器をロック処理することができなくなるという問題があった。
【０００４】
このため、電源供給されなくなった場合に、自機器をロック処理することが可能な電子機器を提供することが課題になっていた。
【先行技術文献】
【特許文献】
【０００５】
【特許文献１】特開２００５−２４２５８５号公報
【発明の概要】
【発明が解決しようとする課題】
【０００６】
例えば、上記電子機器に電源を供給するバッテリが抜かれ、電源供給されなくなった場合に、自機器をロック処理することが可能な電子機器を提供することが課題になっていた。
【課題を解決するための手段】
【０００７】
実施形態の電子機器は、第１のバッテリから電源供給されなくなった場合に、第２のバッテリに切替えて電源供給を受ける切替え部を備える。
また、前記第２のバッテリからの電源供給に切替えられた状態で自機器をロックする指示を受信可能なロック指示受信部を備える。
また、前記ロック指示を受信した場合に自機器をロックするロック部を備える。
【図面の簡単な説明】
【０００８】
【図１】実施形態に係わる電子機器の外観を示す外観図。
【図２】実施形態に係わる電子機器の構成の一例を示すブロック図。
【図３】実施形態に係わる電子機器において、電子機器への電源供給が第１のバッテリから第２のバッテリに切替えられるようすを示す図。
【図４】実施形態に係わる電子機器において、第２のバッテリからの電源供給に切替えられ場合に、記憶部のファイルシステムに登録されている暗号キーを削除するようすを示す図。
【図５】実施形態に係わる電子機器において、上記第２のバッテリからの電源供給に切替えられ、暗号キーが削除された場合に、自機器がロックされていない場合に、暗号キーの再書き込みを行なうようすを示す図。
【図６】実施形態に係わる電子機器で用いられる省電力規格における規定を説明する図。
【図７】実施形態に係わる電子機器において、例えば、３Ｇ通信で電子機器（ＰＣ）１０のロック指示を受信し、電子機器（ＰＣ）１０をロックする動作を説明するフローチャート。
【図８】実施形態に係わる電子機器において、図４に示すように、暗号情報キーは削除された場合の電子機器（ＰＣ）１０の動作を説明するフローチャート。
【図９】実施形態に係わる電子機器において、記憶部１０９を交換する場合の電子機器（ＰＣ）１０の動作を説明するフローチャート。
【発明を実施するための形態】
【０００９】
以下、図面を参照し、実施の形態を説明する。
図１は、実施形態に係わる電子機器の外観を示す外観図である。
ここでは、電子機器は、例えばノートブックタイプのパーソナルコンピュータ（ノートＰＣ、またはＰＣ）１０として実現されている。
なお、この実施の形態はパーソナルコンピュータに限られず、携帯電話や携帯型の電子機器等に適用することも可能である。
図１に示すように、電子機器（ノートＰＣ）１０は、コンピュータ（ノートＰＣ）本体１１と、映像表示部１２とから構成されている。映像表示部１２には、例えば、ＬＣＤ（liquid crystal display）１７が組み込まれている。
【００１０】
映像表示部１２は、コンピュータ（ノートＰＣ）本体１１の上面が露出される開放位置とコンピュータ（ノートＰＣ）本体１１の上面を覆う閉塞位置との間を回動自在にコンピュータ（ノートＰＣ）本体１１に取り付けられている。
【００１１】
コンピュータ（ノートＰＣ）本体１１は、薄い箱形の筐体を有しており、その上面には、キーボード１３、電子機器（ノートＰＣ）１０を電源オン／電源オフするためのパワーボタン１４、タッチパッド１６、スピーカ１８Ａ，１８Ｂなどが配置されている。
【００１２】
また、コンピュータ（ノートＰＣ）本体１１の、例えば、右側面には、ＵＳＢ（universal serial bus）２．０規格のＵＳＢケーブルやＵＳＢデバイスを接続するためのＵＳＢコネクタ１９が設けられている。
【００１３】
さらに、コンピュータ（ノートＰＣ）本体１１の背面には、例えばＨＤＭＩ(high-definition multimedia interface)規格に対応した外部ディスプレイ接続端子が設けられている（図示せず）。この外部ディスプレイ接続端子は、デジタル映像信号を外部ディスプレイに出力するために用いられる。
【００１４】
図２は、実施形態に係わる電子機器の構成の一例を示すブロック図である。
電子機器（ノートＰＣ）１０は、図２に示すように、ＣＰＵ（central processing unit）１０１、システムメモリ１０３、サウスブリッジ１０４、ＧＰＵ（Graphics Processing Unit）１０５、ＶＲＡＭ（ビデオＲＡＭ:random access memory）１０５Ａ、サウンドコントローラ１０６、ＢＩＯＳ−ＲＯＭ（basic input/output system-read only memory）１０７、ＬＡＮ（local area network）コントローラ１０８、ハードディスクドライブ（ＨＤＤ（記憶装置））１０９、光ディスクドライブ（ＯＤＤ）１１０、ＵＳＢコントローラ１１１Ａ、カードコントローラ１１１Ｂ、カードスロット１１１Ｃ、無線ＬＡＮコントローラ１１２、エンベデッドコントローラ／キーボードコントローラ（ＥＣ／ＫＢＣ）１１３、ＥＥＰＲＯＭ（electrically erasable programmable ROM）１１４等を備える。
【００１５】
ＣＰＵ１０１は、電子機器（ノートＰＣ）１０内の各部の動作を制御するプロセッサである。
ＣＰＵ１０１は、ＢＩＯＳ−ＲＯＭ１０７に格納されたＢＩＯＳを実行する。ＢＩＯＳは、ハードウェア制御のためのプログラムである。ＣＰＵ１０１には、システムメモリ１０３をアクセス制御するメモリコントローラも内蔵されている。また、例えば、PCI EXPRESS規格のシリアルバスなどを介してＧＰＵ１０５との通信を実行する機能も有している。
【００１６】
ＧＰＵ１０５は、電子機器（ノートＰＣ）１０のディスプレイモニタとして使用されるＬＣＤ１７を制御する表示コントローラである。
このＧＰＵ１０５によって生成される表示信号はＬＣＤ１７に送られる。また、ＧＰＵ１０５は、ＨＤＭＩ制御回路３およびＨＤＭＩ端子２を介して、外部ディスプレイ１にデジタル映像信号を送出することもできる。
【００１７】
ＨＤＭＩ端子２は、前述の外部ディスプレイ接続端子である。ＨＤＭＩ端子２は、非圧縮のデジタル映像信号とデジタルオーディオ信号とを１本のケーブルでテレビのような外部ディスプレイ１に送出することができる。ＨＤＭＩ制御回路３は、ＨＤＭＩモニタと称される外部ディスプレイ１にデジタル映像信号を、ＨＤＭＩ端子２を介して送出するためのインタフェースである。
【００１８】
サウスブリッジ１０４は、ＰＣＩ（Peripheral Component Interconnect）バス上の各デバイス及びＬＰＣ（Low Pin Count）バス上の各デバイスを制御する。また、サウスブリッジ１０４は、ＨＤＤ１０９及びＯＤＤ１１０を制御するためのＩＤＥ（Integrated Drive Electronics）コントローラを内蔵している。
【００１９】
さらに、サウスブリッジ１０４は、サウンドコントローラ１０６との通信を実行する機能も有している。
サウンドコントローラ１０６は音源デバイスであり、再生対象のオーディオデータをスピーカ１８Ａ，１８ＢまたはＨＤＭＩ制御回路３に出力する。ＬＡＮコントローラ１０８は、例えばIEEE 802.3規格の有線通信を実行する有線通信デバイスであり、一方、無線ＬＡＮコントローラ１１２は、例えばIEEE 802.11g規格の無線通信を実行する無線通信デバイスである。ＵＳＢコントローラ１１１Ａは、例えばUSB 2.0規格に対応した外部機器との通信を実行する。
【００２０】
例えば、ＵＳＢコントローラ１１１Ａは、デジタルカメラに格納されている画像データファイルを受信するために使用される。また、カードコントローラ１１１Ｂは、コンピュータ（ノートＰＣ）本体１１に設けられたカードスロットに挿入される、ＳＤカードのようなメモリカードに対するデータの書き込み及び読み出しを実行する。
【００２１】
ＥＣ／ＫＢＣ１１３は、電力管理のためのエンベデッドコントローラと、キーボード１３及びタッチパッド１６を制御するためのキーボードコントローラとが集積された１チップマイクロコンピュータである。ＥＣ／ＫＢＣ１１３は、ユーザによるパワーボタン１４の操作に応じて電子機器（ノートＰＣ）１０を電源オン／電源オフする機能を有している。
【００２２】
この実施の形態における表示制御は、例えば、ＣＰＵ１０１がシステムメモリ１０３やＨＤＤ１０９等に記録されたプログラムを実行させることにより行われる。
また、この実施の形態においては、電子機器（ノートＰＣ）１０は、電子機器（ノートＰＣ）１０に着脱可能に構成される１ｓｔバッテリ１２１（第１のバッテリ）および、電子機器（ノートＰＣ）１０に取り付けられた後は着脱不可能なように構成される２ｎｄバッテリ１２２（第２のバッテリ）の２つのバッテリを構成する。
【００２３】
１ｓｔバッテリ１２１（第１のバッテリ）は、例えば、リチウムイオン二次電池等で構成されるノートＰＣ用の「電池パック」で構成される。この「電池パック」は、一般的に、電子機器（ノートＰＣ）１０に着脱可能に構成され、交換することが可能である。
【００２４】
また、２ｎｄバッテリ１２２（第２のバッテリ）は、例えば、「ボタン型電池」で構成される。
ここで、「ボタン型電池」の説明をする。
「ボタン型電池」は、電池の形状による分類の一つであり、ボタン型のものである。その形状からコイン型電池、マメ電池とも呼ばれる。また、「ボタン型電池」の直径が小さく厚めのものをボタン型、直径が大きく薄いものをコイン型と区別することもあるが、ここでは、区別せず、両者を「ボタン型電池」と呼ぶ。
【００２５】
「ボタン型電池」の多くは一次電池である。また、「ボタン型電池」には、リチウム電池やアルカリマンガン電池、酸化銀電池、空気亜鉛電池、あるいは水銀電池等がある。例えば、リチウム電池は３Ｖの初期起電力を持つ。
【００２６】
「ボタン型電池」は小型であるため、２ｎｄバッテリ１２２（第２のバッテリ）は、電源の容量が通常の乾電池等に比べて小さい。また、２ｎｄバッテリ１２２（第２のバッテリ）は、電源の容量が上記１ｓｔバッテリ１２１（「電池パック」）よりも小さい。
【００２７】
「ボタン型電池」は、ＰＣ等で動作する時計や電子機器（特にＢＩＯＳ）のバックアップメモリのデータ保持等にも使用される。
また、ボタン型二次電池は、自身で充電機能を持つ電子機器に使用されることが多い。
また、この実施の形態においては、例えば、上記２ｎｄバッテリ１２２（第２のバッテリ）に、このボタン型二次電池を用い、図示しない充電機器と組み合わせることも可能である。
【００２８】
すなわち、この実施の形態においては、例えば、１ｓｔバッテリ１２１（第１のバッテリ）が抜かれない、通常の状態においては、電子機器（ノートＰＣ）１０は、上記１ｓｔバッテリ１２１（第１のバッテリ）から電源供給を受け動作する。このとき、上記２ｎｄバッテリ１２２（第２のバッテリ）は、電子機器（ノートＰＣ）１０に搭載されているが、その電力は使用しない。また、上記２ｎｄバッテリ１２２（第２のバッテリ）は、上記のように、二次電池を使用し、電子機器（ノートＰＣ）１０が上記通常に起動している場合には、この充電処理も同時に実施される。
【００２９】
また、この２ｎｄバッテリ１２２（第２のバッテリ）は、例えば、上記電子機器（ノートＰＣ）１０のマザーボード（基板）に着脱可能でない（着脱不可能な）ように固定されることが望ましい。
【００３０】
この２ｎｄバッテリ１２２（第２のバッテリ）の取り付けは、例えば、着脱不可能なように、マザーボード（基板）にトルクスねじで固定する方法やＦＩＸ（はめ殺し）で構成することも可能である。
【００３１】
また、この「ボタン型電池」は、例えば、上記一次電池の場合は、普段使用されない状況では、例えば、２〜３年程度の電池寿命がある。また、充電可能な上記二次電池の場合は、１０年程度の電池寿命があり、製品に適用可能である。
【００３２】
また、この実施の形態においては、例えば、外部機器から送信された３Ｇ通信の通信波を受信可能な３Ｇ通信受信部１２０を備えている。
ここで、３Ｇ通信の説明をする。
３Ｇ（3rd Generation）は、第３世代の携帯電話方式の総称である。３Ｇは、ＩＴＵ（国際電気通信連合）によって定められた「ＩＭＴ−２０００」標準に準拠したデジタル携帯電話のことである。
【００３３】
主にＣＤＭＡ（Code Division Multiple Access）方式を採用（一部は改良型のＴＤＭＡ（Time Division Multiple Access）方式を利用）し、高速なデータ通信やマルチメディアを利用したサービス等が提供されている。
【００３４】
３Ｇ通信は、この３Ｇを用いた通信である。
なお、上記説明においては、外部電子機器との通信の一例として３Ｇ通信を用いて説明を行ったが、この実施の形態においては、外部電子機器との通信の他の例としてＷＬＡＮ（無線ＬＡＮまたは、ワイヤレスＬＡＮ（Ｗｉｒｅｌｅｓｓ  ＬＡＮ））や他の無線デバイス等からの制御を用いることも可能である。
【００３５】
また、この実施の他の形態においては、例えば、上記電子機器（ノートＰＣ）１０から上記着脱可能な上記１ｓｔバッテリ１２１（第１のバッテリ）が抜かれ、１ｓｔバッテリ１２１（第１のバッテリ）から電子機器（ノートＰＣ）１０に電源供給されなくなった場合に、２ｎｄバッテリ１２２（第２のバッテリ）に切替えて電源供給を受けるように構成される。
【００３６】
この切替えは、例えば、後述する電源コントローラ３１（ＣＰＵ１０１、サウスブリッジ１０４の一部を含む）によって制御される。
このとき、この実施の形態においては、２ｎｄバッテリ１２２（第２のバッテリ）は、例えば、電源コントローラ３１（ＣＰＵ１０１、サウスブリッジ１０４の一部を含む）、記憶部１０９、ＥＣ／ＫＢＣ１１３、３Ｇ通信受信部１２０に電源を供給する。
【００３７】
また、このとき、例えば、上記２ｎｄバッテリ１２２（第２のバッテリ）は、数ミリアンペア程度の電流を供給可能であるが、この電流によって、上記電源コントローラ３１（ＣＰＵ１０１、サウスブリッジ１０４の一部を含む）、記憶部１０９、ＥＣ／ＫＢＣ１１３、３Ｇ通信受信部１２０を動作させることが可能である。
【００３８】
図３は、実施形態に係わる電子機器において、電子機器への電源供給が第１のバッテリから第２のバッテリに切替えられるようすを示す図である。
上記のように、この実施の形態においては、例えば、１ｓｔバッテリ１２１（第１のバッテリ）から電子機器（ノートＰＣ）１０に電源供給されなくなった場合に、上記電源コントローラ３１（ＣＰＵ１０１、サウスブリッジ１０４の一部を含む）の制御によって、電子機器（ノートＰＣ）１０は、２ｎｄバッテリ１２２（第２のバッテリ）に切替えて電源供給を受ける。
【００３９】
図３に示すように、電子機器（ノートＰＣ）１０のマザーボード３０（基板）には、着脱可能に構成される１ｓｔバッテリ１２１（第１のバッテリ）、着脱不可能に構成されるボタン電池等の２ｎｄバッテリ１２２（第２のバッテリ）、電源コントローラ３１、記憶部１０９、３Ｇ通信受信部１２０が設けられる。
【００４０】
図３（ａ）は、上記１ｓｔバッテリ１２１（第１のバッテリ）から上記電源コントローラ３１に電源が供給されているようすを示す図である。
ここでは、電子機器（ノートＰＣ）１０に１ｓｔバッテリ１２１（第１のバッテリ）が接続され、１ｓｔバッテリ１２１（第１のバッテリ）から電源コントローラ３１に電源が供給されている。
【００４１】
図３（ｂ）は、上記のように、例えば、１ｓｔバッテリ１２１（第１のバッテリ）が電子機器（ノートＰＣ）１０から抜かれ、１ｓｔバッテリ１２１（第１のバッテリ）から電子機器（ノートＰＣ）１０に電源供給されなくなった場合に、上記電源コントローラ３１（ＣＰＵ１０１、サウスブリッジ１０４の一部を含む）の制御によって、電子機器（ノートＰＣ）１０は、２ｎｄバッテリ１２２（第２のバッテリ）に切替えて電源供給を受けるようすを示す図である。
【００４２】
ここでは、電子機器（ノートＰＣ）１０から１ｓｔバッテリ１２１（第１のバッテリ）が抜かれ、接続が切り離されている。そして、２ｎｄバッテリ１２２（第２のバッテリ）に切替えて、２ｎｄバッテリ１２２（第２のバッテリ）から電源コントローラ３１に電源が供給されている。
【００４３】
また、この２ｎｄバッテリ１２２（第２のバッテリ）から電源コントローラ３１に電源が供給されている状態において、上記３Ｇ通信受信部１２０は、上記３Ｇ通信で、電子機器（ノートＰＣ）１０自身をロックする指示を受信する。
【００４４】
ここで、電子機器（ノートＰＣ）のロックとはこの電子機器（ノートＰＣ）を操作できないようにすることである。
このように電子機器（ノートＰＣ）１０をロックすることにより、この実施の形態においては、例えば、電子機器（ノートＰＣ）１０が盗難された場合に、外部機器から自立的にセキュリティロックをかけることが可能になる。
【００４５】
すなわち、この実施の形態に係る電子機器（ノートＰＣ）１０においては、第１のバッテリ（１ｓｔバッテリ１２１）から電源供給されなくなった場合に、第２のバッテリ（２ｎｄバッテリ１２２）に切替えて電源供給を受ける。
【００４６】
また、第２のバッテリ（２ｎｄバッテリ１２２）からの電源供給に切替えられた状態で自機器をロックする指示を受信可能である。
そして、上記ロック指示を受信した場合に、上記のように、自機器をロックする。
すなわち、この実施の形態においては、例えば、電子機器（ノートＰＣ）１０が盗難にあい、第１のバッテリ（１ｓｔバッテリ１２１）を抜かれた場合であっても、電子機器（ノートＰＣ）１０内部に構成される上記着脱不可能な小型の第２のバッテリ（２ｎｄバッテリ１２２）を用いて電源供給を行い、上記のように、３Ｇ通信を受信する。
【００４７】
そして、例えば、電子機器（ノートＰＣ）１０の所有者から電子機器（ノートＰＣ）１０をロックさせる設定情報を入手した場合は、電子機器（ノートＰＣ）１０に内蔵された小型の第２のバッテリ（２ｎｄバッテリ１２２）の電力を用いて電子機器（ノートＰＣ）１０及び記憶部（ＨＤＤ／ＳＳＤ）１０９をロックさせる。
【００４８】
なお、この場合、電子機器（ノートＰＣ）１０は、電源が落ちている状態（例えば、後述する図６に示す電子機器（ＰＣ）１０の省電力規格のＳ３またはＳ４、Ｓ５のいずれかの状態）になっており、ＣＰＵ１０１は動作していないことが望ましい。
【００４９】
また、この実施の形態においては、上記電子機器（ＰＣ）１０のロックに先駆けて、電子機器（ＰＣ）１０を上記電子機器（ノートＰＣ）１０の電源が落ちている状態（省電力規格のＳ３またはＳ４、Ｓ５のいずれかの状態）にする際に、記憶部１０９(ＨＤＤ／ＳＳＤ)のファイルシステムに予め登録したキーとなる暗号情報（暗号情報キー）を削除してから上記電子機器（ノートＰＣ）１０の電源を落とすようにすることが望ましい。
【００５０】
これにより、例えば、上記電子機器（ノートＰＣ）１０が盗難にあった場合に、上記電子機器（ノートＰＣ）１０内部の記憶部１０９(ＨＤＤ／ＳＳＤ)から情報を取り出せないようにすることが可能となる。
【００５１】
そして、この場合に、第１のバッテリ（１ｓｔバッテリ１２１）から電源供給される通常の電子機器（ノートＰＣ）１０起動の際には、ＢＩＯＳ電源コントローラ３１のＦ／Ｗ（ファームウェア）にて、上記キーとなる暗号情報（暗号情報キー）の再書き込みを実施し、記憶部１０９(ＨＤＤ／ＳＳＤ)が読み出し可能となった状態になってから電子機器（ノートＰＣ）１０を起動する。
【００５２】
また、上記３Ｇ通信により、電子機器（ノートＰＣ）１０や記憶部１０９(ＨＤＤ／ＳＳＤ)がロックされている場合には、ＢＩＯＳ電源コントローラ３１のＦ／Ｗでの暗号情報キーの再書き込みは行なわず、電子機器（ノートＰＣ）１０が起動しない状態を維持する。
【００５３】
これにより、記憶部１０９(ＨＤＤ／ＳＳＤ)に記憶されているデータも一般的な方法（ＵＳＢケース等に入れての読み出し等）では、読み出しができないようにすることが可能となる。
【００５４】
図４は、実施形態に係わる電子機器において、第２のバッテリからの電源供給に切替えられ場合に、記憶部のファイルシステムに登録されている暗号キーを削除するようすを示す図である。
【００５５】
図４に示すように、この実施の形態においては、上記電子機器（ＰＣ）１０のロックに先駆けて、電子機器（ＰＣ）１０を上記電子機器（ノートＰＣ）１０の電源が落ちている状態（省電力規格のＳ３またはＳ４、Ｓ５のいずれかの状態）にする際に、記憶部１０９(ＨＤＤ／ＳＳＤ)のファイルシステムに予め登録したキーとなる暗号情報（暗号情報キー）を削除する。
【００５６】
そして、その後、上記のように、電子機器（ノートＰＣ）１０の電源を落とすようにする。
図５は、実施形態に係わる電子機器において、上記第２のバッテリからの電源供給に切替えられ、暗号キーが削除された場合に、自機器がロックされていない場合に、暗号キーの再書き込みを行なうようすを示す図である。
【００５７】
図５に示すように、この実施の形態においては、この場合に、第１のバッテリ（１ｓｔバッテリ１２１）から電源供給される通常の電子機器（ノートＰＣ）１０起動の際には、ＢＩＯＳ電源コントローラ３１のＦ／Ｗ（ファームウェア）にて、上記キーとなる暗号情報（暗号情報キー）の再書き込みを実施する。
【００５８】
そして、記憶部１０９(ＨＤＤ／ＳＳＤ)が読み出し可能となった状態になってから電子機器（ノートＰＣ）１０を起動する。
また、上記３Ｇ通信により、電子機器（ノートＰＣ）１０や記憶部１０９(ＨＤＤ／ＳＳＤ)がロックされている場合には、ＢＩＯＳ電源コントローラ３１のＦ／Ｗでの暗号情報キーの再書き込みは行なわず、電子機器（ノートＰＣ）１０が起動しない状態を維持する。
【００５９】
図６は、実施形態に係わる電子機器で用いられる省電力規格における規定を説明する図である。
電子機器（ＰＣ）１０の使用を一時停止する場合に、例えば、「スタンバイ状態（サスペンド）」または「休止状態（ハイバネーション）」にすることで、消費電力を抑制することが可能である。
【００６０】
特にバッテリ等で駆動する電子機器（ノート型ＰＣ等）では、例えば、移動中などにスタンバイ状態にしておくことで、消費電力を抑制しつつ、作業の停止・再開を比較的早く行うことが可能である。また、デスクトップ型ＰＣ等でも、使用しない時間は、電子機器をスタンバイ状態や休止状態にすることで、消費電力を抑制することが可能である。
【００６１】
ところで、「ＡＣＰＩ」では、電子機器（ＰＣ）の省電力システムにおける電源（電力）状況（省電力規格のスリープ・ステート（ステータス））を「Ｓ０（フル稼働）」から「Ｓ５（ソフトウェアによる電源オフ）」までの６段階で規定している。ここで、「ＡＣＰＩ」はAdvanced Configuration and Power Interfaceの略である。
【００６２】
図６は、この「ＡＣＰＩ」省電力規格におけるステータスを示している。
５０は、電子機器（ＰＣ）のステータスは「Ｓ０」、すなわち、電子機器（ＰＣ）全体に電源（電力）が供給された、「フル稼働状態」である。
５１は、電子機器（ＰＣ）のステータスは「Ｓ１」、すなわち、「低消費電力状態」であるが、この「Ｓ１」の状態では、プロセッサ、チップセットは電源オンにする。
【００６３】
５２は、電子機器（ＰＣ）のステータスは「Ｓ２」、すなわち、「低消費電力状態」であるが、この「Ｓ２」の状態では、プロセッサとキャッシュは電源オフ、チップセットは電源オンにする。
【００６４】
５３は、電子機器（ＰＣ）のステータスは「Ｓ３」、すなわち、「スタンバイ状態」である。
５４は、電子機器（ＰＣ）のステータスは「Ｓ４」、すなわち、「休止状態」である。
５５は、電子機器（ＰＣ）のステータスは「Ｓ５」、すなわち、「ソフトウェアによる電源オフ」である。
ここで、上記「スタンバイ状態」と上記「休止状態」について、説明する。
「スタンバイ状態」とは、グラフィックス機能やハードディスク、そのほかのデバイスの電源をオフにすることで、消費電力を抑えるモードである。
ただし、システムメモリ１０３には電力が供給され、実行中のデータが保持される。このため、電源オフ／オンと違い、作業を中断した状態からの再開が可能である。また、通常、「スタンバイ状態」からの復帰は数秒程度である。
【００６５】
「休止状態」とは、ハードディスク１１０にシステムメモリ１０３の内容を退避してから、システムメモリ１０３を含む各デバイスの電源をオフにするモードである。このため、ハードディスク１１０には、システムメモリ１０３とほぼ同じ容量の「休止状態」用のデータ退避領域が確保される。
【００６６】
「休止状態」は、例えば、ノートＰＣのバッテリ駆動でもバッテリの電力は消費されないため、「休止状態」を維持し続けることが可能である。しかし、システムメモリ１０３の内容をハードディスク１１０に退避したり、読み出したりしなければならないため、「スタンバイ状態」に比べ、「休止状態」への移行や復帰に時間がかかる。
【００６７】
図７は、実施形態に係わる電子機器において、例えば、３Ｇ通信で電子機器（ＰＣ）１０のロック指示を受信し、電子機器（ＰＣ）１０をロックする動作を説明するフローチャートである。
【００６８】
ステップＳ１００は、ここでの開始ステップである。続いて、ステップＳ１０１に進む。
ステップＳ１０１は、例えば、１ｓｔバッテリ１２１（第１のバッテリ）が電子機器（ＰＣ）１０から抜かれ、電子機器（ＰＣ）１０との接続がなくなっているかを判別するステップである。１ｓｔバッテリ１２１（第１のバッテリ）と電子機器（ＰＣ）１０の接続がなくなっていると判別される場合はステップＳ１０２に進む（Ｙｅｓ）。１ｓｔバッテリ１２１（第１のバッテリ）と電子機器（ＰＣ）１０の接続がなくなっていないと判別される場合はここでの処理を繰り返す（Ｎｏ）。
【００６９】
ステップＳ１０２は、上記１ｓｔバッテリ１２１（第１のバッテリ）から上記２ｎｄバッテリ１２２（第２のバッテリ）に接続を切替え、２ｎｄバッテリ１２２（第２のバッテリ）から電源の供給を受けるステップである。続いて、ステップＳ１０３に進む。
【００７０】
ステップＳ１０３は、例えば、図３（ｂ）に示すように、２ｎｄバッテリ１２２（第２のバッテリ）は、電源コントローラ３１（ＣＰＵ１０１、サウスブリッジ１０４）、記憶部１０９、ＥＣ／ＫＢＣ１１３、３Ｇ通信受信部１２０に電源を供給するステップである。続いて、ステップＳ１０４に進む。
【００７１】
ステップＳ１０４は、外部機器との通信（例えば、３Ｇ通信）を受信したかを判別するステップである。外部機器との通信（例えば、３Ｇ通信）を受信したと判別される場合は、ステップＳ１０５に進む（Ｙｅｓ）。外部機器との通信（例えば、３Ｇ通信）を受信しないと判別される場合は、ここでの処理を繰り返す（Ｎｏ）。
【００７２】
ステップＳ１０５は、電子機器（ＰＣ）１０自身のロック指示を受信したかを判別するステップである。電子機器（ＰＣ）１０自身のロック指示を受信したと判別される場合は、ステップＳ１０６に進む（Ｙｅｓ）。電子機器（ＰＣ）１０自身のロック指示を受信しないと判別される場合は、ここでの処理を繰り返す（Ｎｏ）。
【００７３】
ステップＳ１０６は、例えば、図４に示すように、記憶部１０９のファイルシステムに予め登録された暗号情報キーを削除するステップである。続いて、ステップＳ１０７に進む。
【００７４】
ステップＳ１０７は、電子機器（ＰＣ）１０の電源を落とす処理を行うステップである。上記のように、この実施の形態においては、電子機器（ＰＣ）１０の電源を落とすとは、例えば、電子機器（ＰＣ）１０を、図６に示すＳ３、Ｓ４、Ｓ５のいずれかの状態にすることである。続いて、ステップＳ１０８に進む。
【００７５】
ステップＳ１０８は、電子機器（ＰＣ）１０を上記のようにロック処理するステップである。続いて、ステップＳ１０９に進む。
ステップＳ１０９は、終了ステップであり、ここでの処理は終了する。
図８は、実施形態に係わる電子機器において、図４に示すように、暗号情報キーは削除された場合の電子機器（ＰＣ）１０の動作を説明するフローチャートである。
ステップＳ２００は、ここでの開始ステップである。続いて、ステップＳ２０１に進む。
ステップＳ２０１は、電子機器（ＰＣ）１０の起動指示を受けるステップである。続いて、ステップＳ２０２に進む。
ステップＳ２０２は、電子機器（ＰＣ）１０はロックされていないかを判別するステップである。電子機器（ＰＣ）１０はロックされていないと判別される場合は、ステップＳ２０３に進む（Ｙｅｓ）。電子機器（ＰＣ）１０はロックされていると判別される場合は、ステップＳ２０６に進む（Ｎｏ）。
【００７６】
ステップＳ２０３は、上記図５に示すように、２ｎｄバッテリ１２２（第２のバッテリ）から電源供給を受けた電源コントローラ３１（ＣＰＵ１０１、サウスブリッジ１０４）のファームウェアで暗号情報キーの再書き込みを実施するステップである。続いて、ステップＳ２０４に進む。
【００７７】
ステップＳ２０４は、記憶部１０９は読み出し可能かを判別するステップである。記憶部１０９は読み出し可能であると判別される場合は、ステップＳ２０５に進む（Ｙｅｓ）。記憶部１０９は読み出し可能ではないと判別される場合は、ここでの処理を繰り返す（Ｎｏ）。
【００７８】
ステップＳ２０５は、記憶部１０９に記憶された起動プログラム等を実行し、ＰＣ１０を起動するステップである。続いて、ステップＳ２０８に進む。
ステップＳ２０６は、例えば、図５に示すように、暗号情報キーの再書き込みを実施しないようにするステップである。続いて、ステップＳ２０７に進む。
ステップＳ２０７は、電子機器（ＰＣ）１０の起動をしないようにするステップである。続いて、ステップＳ２０８に進む。
ステップＳ２０８は、終了ステップであり、ここでの処理は終了する。
図９は、実施形態に係わる電子機器において、記憶部１０９を交換する場合の電子機器（ＰＣ）１０の動作を説明するフローチャートである。
例えば、電子機器（ＰＣ）１０の所有者等が記憶部１０９を交換する場合は、例えば、ＢＩＯＳセットアップにより、ストレージ（記憶部１０９）交換設定を設ける。
【００７９】
そして、電子機器（ＰＣ）１０の電源を落とす（Ｓ３／Ｓ４／Ｓ５等にする）際に、上記交換設定をイネーブルにする。これにより、ストレージファイルシステムの暗号情報キーを削除しないように設定し、ストレージの交換が出来るようにする。
【００８０】
また、このストレージ交換設定をＢＩＯＳにて設定する際には、ＢＩＯＳセットアップパスワードを同時に設定するようにし、ストレージ（記憶部１０９）交換設定を容易には、できないようにする。
【００８１】
ステップＳ３００は、ここでの開始ステップである。続いて、ステップＳ３０１に進む。
ステップＳ３０１は、電子機器（ＰＣ）１０のＢＩＯＳセットアップ機能等を用い、記憶部１０９の交換設定をＯＮにするステップである。続いて、ステップＳ３０２に進む。
【００８２】
ステップＳ３０２は、記憶部１０９のファイルシステムに登録された暗号情報キーを削除しないように設定するステップである。続いて、ステップＳ３０３に進む。
ステップＳ３０３は、ユーザによって電子機器（ＰＣ）１０に接続されている記憶部１０９が交換されるステップである。続いて、ステップＳ３０４に進む。
ステップＳ３０４は、終了ステップであり、ここでの処理は終了する。
上記のように、この実施の形態においては、例えば、電子機器（ＰＣ）１０が盗難にあい、バッテリを抜かれた場合に、電子機器（ＰＣ）１０内部の着脱不可能な小型バッテリ（２ｎｄバッテリ１２２（第２のバッテリ））にて、外部電子機器と３Ｇ通信を実施する。
【００８３】
そして、例えば、電子機器（ＰＣ）１０の所有者から電子機器（ＰＣ）１０をロックさせる設定情報を入手した場合には、電子機器（ＰＣ）１０に内蔵された小型バッテリ（２ｎｄバッテリ１２２（第２のバッテリ））の電力を用いて電子機器（ＰＣ）１０及び記憶部１０９(ＨＤＤ／ＳＳＤ)をロックさせることが可能になる。また、この場合、電子機器（ＰＣ）１０は電源が落ちて（上記Ｓ３／Ｓ４／５等の状態になって）おり、例えば、ＣＰＵ１０１等は動作していないことが望ましい。
【００８４】
また、上記ロック処理に先駆けて、電子機器（ＰＣ）１０を、上記電源を落とす（Ｓ３／Ｓ４／Ｓ５の状態にする）際に、記憶部１０９(ＨＤＤ／ＳＳＤ)のファイルシステムに予め登録された、キーとなる暗号情報を削除してから電源を落とすようにする。
【００８５】
これにより、例えば、盗難にあい、電子機器（ＰＣ）１０内部の記憶部１０９から情報を読み出せないようにすることが可能になる。
また、電子機器（ＰＣ）１０の通常の起動（例えば、１ｓｔバッテリ１２１（第１のバッテリ）から電源供給を受ける）の際には、ＢＩＯＳ/電源コントローラ３１のＦ／Ｗにてキーとなる暗号情報を再書き込みする。
【００８６】
そして、上記記憶部１０９が読み出し可能となった状態で電子機器（ＰＣ）１０を起動する。
また、電子機器（ＰＣ）１０や記憶部１０９が、３Ｇ通信によりロックされている場合には、ＢＩＯＳ/電源コントローラ３１のＦ／Ｗでのキー再起書き込みを実施せず、電子機器（ＰＣ）１０が起動出来ない状態を維持することが可能になる。
【００８７】
また、例えば、電子機器（ＰＣ）１０の所有者等が記憶部１０９を交換する場合には、例えば、ユーザパスワードを設定したＢＩＯＳセットアップ等を用い、ストレージ（記憶部１０９）の交換設定をＯＮにすることにより、ストレージファイルシステムのキーを削除しないように設定し、ストレージ（記憶部１０９）の交換が可能になる。
【００８８】
上記のように構成することによって、この発明の実施の形態においては、上記のように、電子機器（ＰＣ）１０に電源供給されなくなった場合に、自機器をロック処理することが可能な電子機器を提供することが可能になる。
【００８９】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【００９０】
なお、上記実施形態は、記述そのものに限定されるものではなく、実施段階では、その趣旨を逸脱しない範囲で、構成要素を種々変形して具体化することが可能である。
【００９１】
また、上記実施形態に開示されている複数の構成要素の適宜な組み合せにより種々の発明を形成できる。
例えば、実施形態に示される全構成要素から幾つかの構成要素を削除してもよい。更に、異なる実施形態に亘る構成要素を適宜組み合せてもよい。
【符号の説明】
【００９２】
１０…電子機器（ＰＣ）、１７…ＬＣＤ、３０…マザーボード（基板）、３１…電源コントローラ、１０９…記憶部、１２１…１ｓｔバッテリ（第１のバッテリ）、１２２…２ｎｄバッテリ（第２のバッテリ）。
【図１】
2013025332.tif 000003
【図２】
2013025332.tif 000004
【図３】
2013025332.tif 000005
【図４】
2013025332.tif 000006
【図５】
2013025332.tif 000007
【図６】
2013025332.tif 000008
【図７】
2013025332.tif 000009
【図８】
2013025332.tif 000010
【図９】
2013025332.tif 000011